(57)【特許請求の範囲】
【請求項１】
電池収納部を有する地板を位置決め保持する台と、
該台にセットされ、前記電池収納部の下に配置されるダイプレートと、
前記電池収納部にセットされた極板を圧入するパンチと、
を備え、
圧入されることにより前記電池収納部の下側に突出する前記極板のリード線取付部が当接する斜面を前記ダイプレートに設け、前記極板を圧入することにより前記斜面に沿って前記リード線取付部を折り曲げることを特徴とする時計用極板の圧入治具。
【請求項２】
前記パンチは複数の極板を同時に圧入し、前記ダイプレートの斜面は圧入された複数の極板のリード線取付部を同時に折り曲げることを特徴とする請求項１記載の時計用極板の圧入治具。
【請求項３】
前記ダイプレートの斜面は、前記極板のリード線取付部が、前記地板の下側に取り付けられる文字板に非干渉となる折り曲げ状態になるように、傾斜角度及び傾斜方向が設定されていることを特徴とする請求項１又は２記載の時計用極板の圧入治具。
【請求項４】
前記ダイプレートは着脱可能に前記台に取り付けられていることを特徴とする請求項１乃至３の一つに記載の時計用極板の圧入治具。
【発明の詳細な説明】
【技術分野】
【０００１】
本発明は、時計のムーブメント等において、電池と回路基板等とを電気的に接続する極板をムーブメント等に取り付ける際に用いる治具に関するものである。
【背景技術】
【０００２】
一般に、ムーブメントの下板、上板、機構受板、ダストカバー等を含む地板に極板を取り付ける場合、極板を１枚ずつ地板に取り付けていた。その手順は次の通りである。はじめに、極板を地板のスリットに軽く差し込み、次に、マイナスドライバ等の先端が平らな工具で極板を押してスリット内に圧入する。その後、地板の下側に突出したリード線を接続するリード線取付部を、後工程にて地板に取り付ける文字板等に干渉しないように、折り曲げる。このような手順で、１枚ずつ極板を取り付けていた。
【発明の開示】
【発明が解決しようとする課題】
【０００３】
上記従来技術においては、１枚ずつ極板を取り付けていたので、電池の正負に対応するように少なくとも２枚、また、多くの電池を使用する場合には更に多数の極板を１枚ずつ取り付けなければならず、極めて手間がかかるという問題があった。
【０００４】
また、極板の取り付けには圧入と折り曲げが必要であり、工数がかかるという問題もあった。また、極板の圧入と折り曲げは、地板の表裏面側からそれぞれ作業することが必要であり、作業性が悪く、作業効率を向上させることが難しかった。
【０００５】
本発明が解決しようとする課題は、上記従来技術の問題点を解決し、工数を削減すると共に、作業効率も向上させ、更に品質の安定も図ることができる時計用極板の圧入治具を提供することにある。
【課題を解決するための手段】
【０００６】
本発明の時計用極板の圧入治具は、電池収納部を有する地板を位置決め保持する台と、該台にセットされ、前記電池収納部の下に配置されるダイプレートと、前記電池収納部にセットされた極板を圧入するパンチと、を備え、圧入されることにより前記電池収納部の下側に突出する前記極板のリード線取付部が当接する斜面を前記ダイプレートに設け、前記極板を圧入することにより前記斜面に沿って前記リード線取付部を折り曲げるものである。
【０００７】
この時計用極板の圧入治具における前記パンチは複数の極板を同時に圧入し、前記ダイプレートの斜面は圧入された複数の極板のリード線取付部を同時に折り曲げるものとなっている。また、前記ダイプレートの斜面は、前記極板のリード線取付部が、前記地板の下側に取り付けられる文字板に非干渉となる折り曲げ状態になるように、傾斜角度及び傾斜方向が設定されている。また、前記ダイプレートは着脱可能に前記台に取り付けられている。
【発明の効果】
【０００８】
本発明によれば、地板にセットした極板をパンチで押圧するだけで地板に圧入すると共にダイプレートの斜面で折り曲げることができる。これにより、１工程で極板を取り付けることができ、工数を削減することができる。特に、極板の折り曲げ時に、地板を反転させて作業する必要がなくなり、作業効率も大幅に向上させることができる。
【０００９】
また、パンチで複数の極板を同時に押圧すると共に、ダイプレートの斜面で複数の極板のリード線取付部を同時に折り曲げることができるので、複数の極板を取り付ける作業にかかる時間を大幅に削減することと、極板の圧入後の高さ管理が一括してできるので作業品質を確保することができる。
【００１０】
また、ダイプレートの斜面に沿って極板を折り曲げているので、常に安定した形状で極板を折り曲げることができ、更に、ダイプレートの斜面の方向や傾斜角度を変えるだけで、様々な極板や地板と文字板との間隔に対応させて折り曲げることができる。特に、ダイプレートは台に着脱自在に取り付けられているので、斜面が異なるダイプレートを用意しておけば、ダイプレートの交換だけで各種地板と極板に対応させることができる。
【発明を実施するための最良の形態】
【００１１】
本発明の時計用極板の圧入治具は、電池収納部を有する地板を保持する台と、この台にセットされ且つ電池収納部の下に配置されるダイプレートと、電池収納部にセットされた極板を圧入するパンチとを備えている。ダイプレートは斜面を有し、電池収納部の下側に突出する極板のリード線取付部がこの斜面に当接する。パンチで極板を押圧すると、そのリード線取付部が電池収納部の下側に突出し、更にダイプレートの斜面に沿って折れ曲がる。このように、圧入治具を使用すると、極板の圧入と折り曲げを１工程で行うことが可能となる。
【実施例】
【００１２】
図１は本発明の一実施例に係る時計用極板の圧入治具を示す斜視図、図２は図１に示す圧入治具にムーブメントの地板をセットした状態を示す斜視図、図３は図１に示す圧入治具の台とダイプレートを示す斜視図、図４及び図５は極板を示す斜視図である。
【００１３】
圧入治具２は、ムーブメントの下板、上板、機構受板、ダストカバー等の地板１０を載置する台４と、この台４に取り付けられるダイプレート６と、このダイプレート６に向かって極板１２，１４を押し込むパンチ８とを備えている。
【００１４】
台４は、地板１０を載置する平面からなる載置部４ａと、この載置部４ａの一部を凹状に切り欠いたダイプレート取付部４ｂを有している。載置部４ａには、地板１０の指針軸支持部１０ａに対応する部分に円形の凹部４ｃが設けられている。また、この載置部４ａには、２本の位置決めピン４ｄ，４ｅが載置部４ａから垂直方向に突出するように設けられている。
【００１５】
また、ダイプレート６は、地板１０の電池収納部１０ｂを下から支える細長い直方体状のブロックからなり、台４のダイプレート取付部４ｂ内に収められて、ボルト１６等によって固定されている。このダイプレート６には、地板１０の電池収納部１０ｂを受ける平面からなる電池収納部受部６ａが設けられている。この電池収納部受部６ａには、電池収納部１０ｂから下側に突出する極板１２，１４のリード線取付部１２ａ，１４ａがそれぞれ当接する斜面６ｂが設けられている。この斜面６ｂは、リード線取付部１２ａ，１４ａが電池収納部１０ｂから突出する位置から折り曲げ可能な方向（本実施例においては地板６の中央方向）に向かってわずかに下り勾配となるように形成されている。尚、この斜面６ｂの傾斜角度は、地板１０とその図中下側に後工程で取り付けられる文字板（図示せず）との間隔に応じて設定されている。
【００１６】
また、パンチ８は、その中央にハンドプレス等に取り付けるプレス取付部８ａを有し、図中下側に極板１２，１４をそれぞれ押圧する押圧部８ｂを有している。本実施例における押圧部８ｂは、極板１２，１４の上端部１２ｂ，１４ｂや肩部１２ｃ，１４ｃ等を押圧するようにパンチ８の長手方向端部に設けられている。尚、本実施例においては、地板１０の形状に合わせてパンチ８の下面の一部を凹状に形成している。
【００１７】
次に、上記構成からなる圧入治具２を用いて極板１２，１４を地板１０に圧入するときの状態を説明する。図６及び図７は圧入治具２に地板１０と極板１２，１４をセットした状態を示す部分切断斜視図及び断面図である。はじめに、地板１０の位置決め孔１０ｄ，１０ｅに台４の位置決めピン４ｄ，４ｅを挿通することで位置決めしながら台４の載置部４ａ上に地板１０をセットする。このときに地板１０の電池収納部１０ｂがダイプレート６上に位置することになる。
【００１８】
ここで、極板１２，１４を、電池収納部１０ｂの側壁から底部にかけて設けられたスリット１０ｆ，１０ｇに軽く差し込んでセットする。尚、本実施例においては、極板１２，１４を２枚ずつセットしている。
【００１９】
上記のように台４に地板１０をセットし、更に地板１０に極板１２，１４をセットした後、パンチ８で極板１２，１４を押圧して圧入する。図８及び図９はパンチ８で極板１２，１４を圧入した状態を示す部分切断斜視図及び断面図であり、図１０及び図１１は極板１２，１４が圧入されたときのリード線取付部１２ａ，１４ａの状態を示す断面図である。
【００２０】
ハンドプレス等によりパンチ８を押し下げると、地板１０にセットされた極板１２，１４がスリット１０ｆ，１０ｇ内に圧入される。このときに極板１２，１４の下端に位置するリード線取付部１２ａ，１４ａは、図１０及び図１１に示すように、押圧されるとその先端が斜面６ｂに当接し、更に押圧されることで斜面に沿って折れ曲がる。このようなリード線取付部１２ａ，１４ａの折り曲げは、全ての極板１２，１４をパンチ８で押圧することにより同時に行われる。
【００２１】
上記のように、パンチ８で押圧するだけで、全ての極板１２，１４を地板１０に圧入することができると共に、その先端にあるリード線取付部１２ａ，１４ａを地板１０の図中下側の面に沿って同時に折り曲げることができる。
【図面の簡単な説明】
【００２２】
【図１】本発明の一実施例に係る時計用極板の圧入治具を示す斜視図である。
【図２】図１に示す圧入治具にムーブメントの地板をセットした状態を示す斜視図である。
【図３】図１に示す圧入治具の台とダイプレートを示す斜視図である。
【図４】極板を示す斜視図である。
【図５】極板を示す斜視図である。
【図６】圧入治具に地板と極板をセットした状態を示す部分切断斜視図である。
【図７】圧入治具に地板と極板をセットした状態を示す断面図である。
【図８】パンチで極板を圧入した状態を示す部分切断斜視図である。
【図９】パンチで極板を圧入した状態を示す断面図である。
【図１０】極板が圧入されたときのリード線取付部の状態を示す断面図である。
【図１１】極板が圧入されたときのリード線取付部の状態を示す断面図である。
【符号の説明】
【００２３】
２      圧入治具
４      台
４ａ    載置部
４ｂ    ダイプレート取付部
４ｃ    凹部
４ｄ，４ｅ  位置決めピン
６      ダイプレート
６ａ    電池収納部受部
６ｂ    斜面
８      パンチ
８ａ    プレス取付部
８ｂ    押圧部
１０    地板
１０ａ  指針軸支持部
１０ｂ  電池収納部
１０ｄ，１０ｃ  位置決め孔
１０ｆ，１０ｇ  スリット
１２，１４      極板
１２ａ，１４ａ  リード線取付部
１２ｂ，１４ｂ  上端部
１２ｃ，１４ｃ  肩部
１６    ボルト
【図１】
0005013483.tif 000002
【図２】
0005013483.tif 000003
【図３】
0005013483.tif 000004
【図４】
0005013483.tif 000005
【図５】
0005013483.tif 000006
【図６】
0005013483.tif 000007
【図７】
0005013483.tif 000008
【図８】
0005013483.tif 000009
【図９】
0005013483.tif 000010
【図１０】
0005013483.tif 000011
【図１１】
0005013483.tif 000012